(57)【要約】【課題】工事費用および工事期間が共に少なくてすむと共に、工事に必要とする部材の構造も簡易かつ安価な、既設構造体の支柱の嵩上げ方法およびそれに使用する継手部材を提供することを目的とする。【解決手段】既設構造体１０の支柱１１を嵩上げする方法であって、（Ａ）既設構造体１０の支柱１１を下部支柱２１と上部支柱２２とに切断する工程と、（Ｂ）前記支柱１１に継手部材３０を添えて該継手部材３０を前記（Ａ）工程で切断した支柱２１，２２の一方に固着する工程と、（Ｃ）前記上部支柱２２を所定高さに持ち上げる工程と、（Ｄ）所定高さに持ち上げた状態で前記（Ｂ）工程で固着されていない方の支柱２２または２１を前記継手部材３０に仮止めする工程と、（Ｅ）前記（Ａ）〜（Ｄ）工程を前記構造体１０の他の支柱１１に順次施す工程と、（Ｆ）前記（Ｃ）〜（Ｅ）工程を既設構造体１０の支柱１１を所望高さ嵩上げするまで繰り返す工程と、を備える支柱１１を嵩上げする方法。【選択図】    図６
2008121344.tif 000002
【特許請求の範囲】
【請求項１】
既設構造体の支柱を嵩上げする方法であって、
（Ａ）既設構造体の支柱を下部支柱と上部支柱とに切断する工程と、
（Ｂ）前記支柱に継手部材を添えて該継手部材を前記（Ａ）工程で切断した支柱の一方に固着する工程と、
（Ｃ）前記上部支柱を所定高さに持ち上げる工程と、
（Ｄ）所定高さに持ち上げた状態で前記（Ｂ）工程で固着されていない方の支柱を前記継手部材に仮止めする工程と、
（Ｅ）前記（Ａ）〜（Ｄ）工程を前記構造体の他の支柱に順次施す工程と、
（Ｆ）前記（Ｃ）〜（Ｅ）工程を既設構造体の支柱を所望高さ嵩上げするまで繰り返す工程と、
を備えることを特徴とする既設構造体の支柱の嵩上げ方法。
【請求項２】
請求項１に記載の既設構造体の支柱の嵩上げ方法を用いて農業用温室の支柱の嵩上げを行うことを特徴とする農業用温室の支柱の嵩上げ方法。
【請求項３】
請求項１に記載の既設構造体の嵩上げ方法に使用する継手部材であって、
前記支柱を外方から固定できるように、少なくとも第一継手部材と第二継手部材とに分割してなると共に、
前記第一継手部材と前記第二継手部材とは夫々長手方向に複数のボルト孔を開設してなることを特徴とする既設構造体の嵩上げ方法に使用する継手部材。
【請求項４】
前記第一継手部材および前記第二継手部材は夫々金属製のアングル部材から形成してなり、前記第一継手部材および前記第二継手部材とで前記支柱を外嵌抱持しボルトによって前記支柱に締結固定してなることを特徴とする請求項３に記載の既設構造体の嵩上げ方法に使用する継手部材。
【請求項５】
請求項２に記載の農業用温室の嵩上げ方法に使用する継手部材であって、
前記支柱を外方から固定できるように、少なくとも第一継手部材と第二継手部材とに分割してなると共に、
前記第一継手部材と前記第二継手部材は夫々長手方向に複数のボルト孔を開設してなることを特徴とする農業用温室の嵩上げ方法に使用する継手部材。
【請求項６】
前記第一継手部材および前記第二継手部材は夫々金属製のアングル部材から形成してなり、前記第一継手部材および前記第二継手部材とで前記支柱を外嵌抱持しボルトによって前記支柱に締結固定してなることを特徴とする請求項５に記載の農業用温室の嵩上げ方法に使用する継手部材。
【発明の詳細な説明】
【技術分野】
【０００１】
本発明は、例えば農業用温室や農業用ハウス（以下「農業用温室」という）等の既設構造体の支柱を嵩上げするときに使用する既設構造体の支柱の嵩上げ方法、農業用温室の支柱の嵩上げ方法およびそれに使用する継手部材に関する。
【背景技術】
【０００２】
一般に農業用温室は、栽培する農作物や果樹等又は敷地面積等に応じて設計され建造される。しかし、後になって、栽培する農作物や果樹等を変更する場合や栽培方法の変更等によって、前記農業用温室の軒高さを高くする必要が生じる場合がある。例えば、トマトの多段収穫を行うために、内部空間（高さ空間）をさらに広げる必要が生じる場合や、また、特に夏場の温度管理に注意が必要な周年栽培を行うために、軒高さを上げて、煙突効果による換気効率を向上させる場合等である。
【０００３】
このような場合には、一般的には、前記農業用温室を撤去して新たに設計した農業用温室を建造するのであるが、新たに立て替える場合は、撤去費用、工事費用及びそれらのための工事期間が必要となる。このような問題を解消するためには、既設の農業用温室の支柱を嵩上げすることによって、前記農業用温室の軒高さを高くする方法が考えられる。
【０００４】
この支柱を嵩上げするための方法としては、例えば、特開平９−９６１２６号公報に記載の方法が公知である。前記支柱の嵩上げ方法は、ゴルフ練習場のネット（既設構造体）用の支柱を嵩上げする方法であって、先ず、既設の支柱の側方に補助支柱を必要本数建て、次に、前記補助支柱各々の一部を既設の支柱に固定するとともに、前記補助支柱上に、別途用意した嵩上げ用構造体を固定して、前記支柱全体として嵩上げを行うのである。
【０００５】
【特許文献１】特開平９−９６１２６号公報
【発明の開示】
【発明が解決しようとする課題】
【０００６】
しかしながら、前記特開平９−９６１２６号公報に記載された支柱を嵩上げする方法は、前記補助支柱の下端を既設の支柱の基礎又はその近傍に固定する必要があり、この固定は基礎を作製する工事法により行なわれている。したがって、前記補助支柱を立設するためには基礎工事が必要であり、工事費用と工事期間が掛かると共に、その構成上、農業用温室等の構造体に適用できるものではない。
【０００７】
本発明は、かかる事情に鑑みてなされたものであって、工事費用および工事期間が共に少なくてすむと共に、工事に必要とする部材の構造も簡易かつ安価な、既設構造体の支柱の嵩上げ方法およびそれに使用する継手部材を提供することを目的とする。
【課題を解決するための手段】
【０００８】
請求項１に記載の既設構造体の支柱の嵩上げ方法は、既設構造体の支柱を嵩上げする方法であって、（Ａ）既設構造体の支柱を下部支柱と上部支柱とに切断する工程と、（Ｂ）前記支柱に継手部材を添えて該継手部材を前記（Ａ）工程で切断した支柱の一方に固着する工程と、（Ｃ）前記上部支柱を所定高さに持ち上げる工程と、（Ｄ）所定高さに持ち上げた状態で前記（Ｂ）工程で固着されていない方の支柱を前記継手部材に仮止めする工程と、（Ｅ）前記（Ａ）〜（Ｄ）工程を前記構造体の他の支柱に順次施す工程と、（Ｆ）前記（Ｃ）〜（Ｅ）工程を既設構造体の支柱を所望高さ嵩上げするまで繰り返す工程と、を備えることを特徴とする。
【０００９】
請求項１に記載の既設構造体の支柱の嵩上げ方法にあっては、既設の構造体を維持したまま、支柱の嵩上げを行うことができると共に、これらに掛かる費用も安くてすみ、かつ工事期間の短縮化を図ることができる。
【００１０】
請求項２に記載の農業用温室の支柱の嵩上げ方法は、請求項１に記載の既設構造体の支柱の嵩上げ方法を用いて農業用温室の支柱の嵩上げを行うことを特徴とする。
【００１１】
請求項２に記載の農業用温室の支柱の嵩上げ方法にあっては、既設の農業用温室の構造を維持したまま、支柱の嵩上げを行うことができると共に、これらに掛かる費用も安くてすみ、かつ工事期間の短縮化を図ることができる。
【００１２】
請求項３に記載の既設構造体の嵩上げ方法に使用する継手部材は、請求項１に記載の既設構造体の嵩上げ方法に使用する継手部材であって、前記支柱を外方から固定できるように、少なくとも第一継手部材と第二継手部材とに分割してなると共に、前記第一継手部材と第二継手部材とは長手方向に複数のボルト孔を開設してなることを特徴とする。
【００１３】
請求項３に記載の既設構造体の嵩上げ方法に使用する継手部材にあっては、請求項３に記載の既設構造体を嵩上げする場合に使用する継手部材を、極めて容易かつ安価に製作することができる。
【００１４】
請求項４に記載の既設構造体の嵩上げ方法に使用する継手部材は、請求項３に記載の既設構造体を嵩上げする場合に使用する継手部材であって、前記第一継手部材および前記第二継手部材は夫々金属製のアングル部材から形成してなり、前記第一継手部材および前記第二継手部材とで前記支柱を外嵌抱持しボルトによって前記支柱に締結固定されてなることを特徴とする。
【００１５】
請求項４に記載の既設構造体の嵩上げ方法に使用する継手部材にあっては、前記第一継手部材および前記第二継手部材を夫々金属製のアングル部材から形成しているので、安価かつ容易に前記各継手部材を製造することができると共に、前記第一継手部材および前記第二継手部材とで前記支柱を外嵌抱持しボルトによって前記支柱に締結固定しているので、前記支柱を嵩上げする際には、前記上部支柱又は前記下部支柱が前記継手部材の中を摺動して上昇し、前記継手部材が嵩上げ時のガイドとして機能し、円滑な嵩上げを行うことができる。
【００１６】
請求項５に記載の農業用温室の嵩上げ方法に使用する継手部材は、請求項２に記載の既設構造体の嵩上げ方法に使用する継手部材であって、前記支柱を外方から固定できるように、少なくとも第一継手部材と第二継手部材とに分割してなると共に、前記第一継手部材と第二継手部材とは長手方向に複数のボルト孔を開設してなることを特徴とする。
【００１７】
請求項５に記載の農業用温室の嵩上げ方法に使用する継手部材にあっては、請求項４に記載の農業用温室を嵩上げする場合に使用する継手部材を、極めて容易かつ安価に製作することができる。
【００１８】
請求項６に記載の農業用温室の嵩上げ方法に使用する継手部材は、請求項５に記載の農業用温室の嵩上げ方法に使用する継手部材にあって、前記第一継手部材および前記第二継手部材は夫々金属製のアングル部材から形成してなり、前記第一継手部材および前記第二継手部材とで前記支柱を外嵌抱持しボルトによって前記支柱に締結固定してなることを特徴とする。
【００１９】
請求項６に記載の農業用温室の嵩上げ方法に使用する継手部材にあっては、前記第一継手部材および前記第二継手部材を夫々金属製のアングル部材から形成しているので、安価かつ容易に前記各継手部材を製造することができると共に、前記第一継手部材および前記第二継手部材とで前記支柱を外嵌抱持しボルトによって前記支柱に締結固定しているので、前記支柱を嵩上げする際には、前記上部支柱又は前記下部支柱が前記継手部材の中を摺動して上昇し、前記継手部材が嵩上げ時のガイドとして機能し、円滑な嵩上げを行うことができる。
【発明の効果】
【００２０】
請求項１に記載の既設構造体の支柱の嵩上げ方法によれば、既設の構造体を維持したまま、支柱の嵩上げを行うことができると共に、これらに掛かる費用も安くてすみ、かつ工事期間の短縮化を図ることができる。
【００２１】
請求項２に記載の農業用温室の支柱の嵩上げ方法によれば、既設の農業用温室の構造を維持したまま、支柱の嵩上げを行うことができると共に、これらに掛かる費用も安くてすみ、かつ工事期間の短縮化を図ることができる。
【００２２】
請求項３に記載の既設構造体の嵩上げ方法に使用する継手部材によれば、請求項３に記載の既設構造体を嵩上げする場合に使用する継手部材を、極めて容易かつ安価に製作することができる。
【００２３】
請求項４に記載の既設構造体の嵩上げ方法に使用する継手部材によれば、前記第一継手部材および前記第二継手部材を夫々金属製のアングル部材から形成しているので、安価かつ容易に前記各継手部材を製造することができると共に、前記第一継手部材および前記第二継手部材とで前記支柱を外嵌抱持しボルトによって前記支柱に締結固定しているので、前記支柱を嵩上げする際には、前記上部支柱又は前記下部支柱が前記継手部材の中を摺動して上昇し、前記継手部材が嵩上げ時のガイドとして機能し、円滑な嵩上げを行うことができる。
【００２４】
請求項５に記載の既設構造体の嵩上げ方法に使用する継手部材によれば、請求項４に記載の農業用温室を嵩上げする場合に使用する継手部材を、極めて容易かつ安価に製作することができる。
【００２５】
請求項６に記載の農業用温室の嵩上げ方法に使用する継手部材によれば、前記第一継手部材および前記第二継手部材を夫々金属製のアングル部材から形成しているので、安価かつ容易に前記各継手部材を製造することができると共に、前記第一継手部材および前記第二継手部材とで前記支柱を外嵌抱持しボルトによって前記支柱に締結固定しているので、前記支柱を嵩上げする際には、前記上部支柱又は前記下部支柱が前記継手部材の中を摺動して上昇し、前記継手部材が嵩上げ時のガイドとして機能し、円滑な嵩上げを行うことができる。
【発明を実施するための最良の形態】
【００２６】
以下、本発明を実施するための最良の形態を図面に基づいて具体的に説明する。
【００２７】
図１は、本発明にかかる既設構造体の嵩上げ方法を実施する農業用温室の要部斜視図であり、図２は、同農業用温室の要部断面図であり、図３は、同農業用温室の概略平面図である。
【００２８】
図１乃至図３において、１０は、横方向（図１における矢印Ｘ方向）に六棟連設している連棟型の農業用温室であり、１１は支柱である。
【００２９】
該支柱１１は角形鋼管により形成しており、下端にはボルト孔（図示せず）を２つ開設した長方形状の取付基板１１ａが溶接固定され、前記ボルト孔に、基礎Ｇに埋設されたボルトＢを挿入してナットＮで固定している（図４参照）。
【００３０】
前記支柱１１は、横方向に７本、奥行方向（図１における矢印Ｙ方向）に１０本を夫々立設しており、平面視においては、図３に示すように、横方向に７列（Ｙ１列〜Ｙ７列）、奥行き方向に１０列（Ｘ１列〜Ｘ１０列）になるように配置している。なお、例えば、図３において右下隅の支柱を示す場合は、前記列番号を使用して、支柱１１（Ｘ１，Ｙ１）と表示する。したがって、図３において、左下隅に配置される支柱は支柱１１（Ｘ１，Ｙ７）と表示する。
【００３１】
前記支柱１１の上部には、複数の合掌材１２を頂部において山型となるように突合状態で奥行方向に向けて並設している。前記合掌材１２の上面には、前記合掌材１２と直交するように奥行方向に向けて、長尺状のもや材１３が所定間隔を開けて複数本取り付けており、該もや材１３の上には、垂木材（図示せず）が前記合掌材１２と並行して架設されており、屋根面を支持している。また、前記合掌材１２の頂部には、奥行方向に向けて、長尺状の棟材１４を架設している。そして、前記突合状態の合掌材１２，１２間には陸梁１５を架設している。
【００３２】
以上のように構成された前記農業用温室１０に対して、本発明に係る支柱の嵩上げ方法を用いて、軒高さを所望の高さ（本実施態様では１００ｃｍ)嵩上げする場合について説明する。
【００３３】
図４（ａ）は支柱の要部斜視図であり、（ｂ）は支柱の要部拡大斜視図であり、（ｃ）は支柱の平面図である。また、図５乃至図１１は支柱を嵩上げする方法の手順を示す概略図である。
【００３４】
先ず、図４に示すように、前記支柱１１の下部に固定ボルト挿通孔１１ｂ、１１ｂを開設し、その上方に固定ボルト挿通孔１１ｃ、１１ｃを挿通する固定ボルトが下方の固定ボルトと直交する位置にて開設し、さらにその上方に固定ボルト挿通孔１１ｄ、１１ｄを、挿通する固定ボルトが下方の固定ボルトと互いに直交する位置にて開設する。なお、各固定ボルト挿通孔１１ｂ、１１ｃ、１１ｄ間は、長手方向に１０ｃｍの等間隔を隔てて開設している。
【００３５】
次に、図５に示すように、前記支柱１１の固定ボルト挿通孔１１ｄよりも上方の位置（図４における切断面Ｓ）で、エアープラズマ切断機等の切断手段を用いて水平方向に切断して、前記支柱１１を下部支柱２１と上部支柱２２とに切離する。なお、図４（ａ）に示す切断面Ｓを前記支柱１１の下方位置に設けると、後のボルト締結作業等を容易に行うことができると共に、継手（後述する継手部材３０）を介在させた場合に、前記支柱１１の安定性を増すことができる。
【００３６】
次に、図６に示すように、継手部材３０を、前記支柱１１を抱持するように前記支柱１１の外側から被せて前記下部支柱２１にボルトとナットで固定する。
【００３７】
前記継手部材３０は、前記支柱１１に外方から被せられるようにするため、第一継手部材３１と第二継手部材３２とに分割して構成している。前記第一継手部材３１および第二継手部材３２は、共に金属製のアングル部材で形成しており、補強ボルト挿通孔を、直交する各面に長手方向に２０ｃｍ間隔となるように、かつ各面で互い違いとなるように開設している。すなわち、第一継手部材３１には、一面に固定ボルト挿通孔３１ａ、３１ｂおよび補強ボルト挿通孔３１ｃ、３１ｄ、３１ｅ、３１ｆ、３１ｇ、３１ｈ、３１ｉを、長手方向に夫々２０ｃｍ間隔となるように９孔開設し、他面には固定ボルト挿通孔３１ｍおよび補強ボルト挿通孔３１ｎ、３１ｏ、３１ｐ、３１ｑ、３１ｒ、３１ｓ、３１ｔを長手方向に夫々２０ｃｍ間隔となるように８孔開設しており、さらに前記固定ボルト挿通孔３１ａと３１ｍ、前記固定ボルト挿通孔３１ｍと前記補強ボルト挿通孔３１ｎ等が夫々１０ｃｍ間隔となるように開設し、第二継手部材３２には、一面に固定ボルト挿通孔３２ａ、３２ｂおよび補強ボルト挿通孔３２ｃ、３２ｄ、３２ｅ、３２ｆ、３２ｇ、３２ｈ、３２ｉを、長手方向に夫々２０ｃｍ間隔となるように９孔開設し、他面には固定ボルト挿通孔３２ｍおよび補強ボルト挿通孔３２ｎ、３２ｏ、３２ｐ、３２ｑ、３２ｒ、３２ｓ、３２ｔを長手方向に夫々２０ｃｍ間隔となるように８孔開設しており、さらに前記固定ボルト挿通孔３１ａと３１ｍ、前記固定ボルト挿通孔３１ｍと前記補強ボルト挿通孔３１ｎ、・・・が夫々１０ｃｍ間隔となるように開設している。
【００３８】
そして、前述のように、第一継手部材３１と第二継手部材３２とを、前記支柱１１に外側から被せて、前記固定ボルト挿通孔３１ａ、１１ａ、１１ａ、３２ａを合致させて、固定ボルトＢａを挿通しナットＮで締結固定し、同様に固定ボルトＢｂを前記固定ボルト挿通孔３１ｍ、１１ｂ、１１ｂ、３２ｍに挿通し、固定ボルトＢｃを前記固定ボルト挿通孔３１ｂ、１１ｃ、１１ｃ、３２ｂに挿通し締結固定して、前記下部支柱２１に前記継手部材３０を固定するのである。
【００３９】
以上の工程を残余の６９本の前記支柱１１に順次行うのである。図７乃至図９は、支柱の前記切断及び継手部材の固着工程の順番を示す概略平面図であり、図１０は前記工程が終了した農業用温室の内方からの斜視図である。
【００４０】
前記の各工程は、図７に示す矢印の方向に沿って、順次、前記支柱１１（Ｘ１，Ｙ１）から作業を始め、前記支柱１１（Ｘ２，Ｙ７）を経由して、前記支柱１１（Ｘ１０，Ｙ７）で工程終了しても良いし、また、図８に示すように、前記支柱１１（Ｘ１，Ｙ１）および前記支柱１１（Ｘ１０，Ｙ７）から、矢印の方向に沿って同時に作業を初めても良い。さらに、図９に示すように、前記支柱１１（Ｘ１，Ｙ１），１１（Ｘ１，Ｙ２），１１（Ｘ１，Ｙ３），１１（Ｘ１，Ｙ４），１１（Ｘ１，Ｙ５），１１（Ｘ１，Ｙ６）および１１（Ｘ１，Ｙ７）から同時に奥行方向に向けて作業を開始しても良く、必ずしも一カ所から作業を始める必要はなく、工事費用、工事工期、前記農業用温室の構造等を総合的に考慮して作業に取りかかる順番を定めれば良い。
【００４１】
そして、図１０に示すように、全ての前記支柱１１に以上の工程を順次施したうえで、前記支柱１１の嵩上げ工程を行うのである。図１１は、持ち上げ手段により支柱を持ち上げた状態を示す農業用温室の内方からの斜視図である。図１１において、ＴＬは高所作業用の自走式テーブルリフターであって、該自走式テーブルリフターＴＬのテーブル上面に突き上げ部材４０を載置し、該突き上げ部材４０の上端を、持ち上げようとする前記支柱１１の両側に位置する前記陸梁１５，１５の端部に宛い、前記自走式テーブルリフターＴＬのテーブルを上昇させることによって、前記支柱１１を所定高さ持ち上げるのである。このとき、前記上部支柱２２は前記継手部材３０の内部を摺動するように上昇し、前記継手部材３０は前記上部支柱２２が上昇するためのガイドとして機能するのである。
【００４２】
なお、前記所定高さとは、本実施形態においては１０ｃｍである。本実施形態では、嵩上げの所望高さは１００ｃｍであるが、一度に一本の支柱１１を１００ｃｍ持ち上げることは構造上困難であるため、前記農業用温室１０の構造上許容できる範囲内（一度に一本の支柱１１を持ち上げることのできる範囲内）の持ち上げ高さを、所定高さとして設定したものである。したがって、この所定高さは、１０ｃｍに限定することなく、前記農業用温室１０の構造を考慮して、適宜の高さに設定すればよい。
【００４３】
図１２（ａ）は、支柱を一段階（すなわち、１０ｃｍ）嵩上げした状態を示す斜視図であり、（ｂ）は同要部断面図であり、（ｃ）は、（ｂ）のＡ−Ａ断面図である。
【００４４】
前述のように、前記支柱１１を前記所定高さより少し上に上昇させた状態で、前記継手部材３０の前記補強ボルト挿通孔３１ｎ，３２ｎに補強ボルトＢｄを挿通させてナットＮで締結固定する。そして、前記自走式テーブルリフターＴＬのテーブルを下降させると、前記上部支柱２２の下端も下降して前記補強ボルトＢｄに抵触し、前記上部支柱２２の下端が前記補強ボルトＢｄに係止した状態で仮止めするのである。すなわち、前記補強ボルトＢｄは、前記第一継手部材３１と前記第二継手部材３２とを連結固定して補強すると共に、前記上部支柱２２を一段階（すなわち、１０ｃｍ）嵩上げした状態で仮止めするストッパーとして機能するのである。そして、この工程を、残余の６９本の前記支柱１１に順次施すのである。なお、本工程を施す順序についても、前述の順序と同様である。なお、作業工程としては、前記切断工程と前記継手部材３０の取付工程と前記支柱１１の一段階嵩上げを行ってから、次の前記支柱１１に取りかかっても良い。
【００４５】
図１３（ａ）は支柱を二段階嵩上げした状態を示す斜視図であり、（ｂ）は同要部断面図である。前記各支柱１１，１１・・・を一段階嵩上げした状態から、さらに一段階（１０ｃｍ）嵩上げを行う。この場合も、前述と同様に、前記自走式テーブルリフターＴＬのテーブル上面に突き上げ部材４０を載置し、該突き上げ部材４０の上端を持ち上げようとする前記支柱１１の両側に位置する前記陸梁１５，１５の端部に宛い、前記自走式テーブルリフターＴＬのテーブルを上昇させて、前記支柱１１を所定高さ持ち上げ、前記継手部材３０の前記補強ボルト挿通孔３１ｃ，３２ｃに補強ボルトＢｅを挿通させてナットＮで締結固定する。そして、前記自走式テーブルリフターＴＬのテーブルを下降させると、前記上部支柱２２の下端も下降して前記補強ボルトＢｅに抵触し、前記上部支柱２２の下端が前記補強ボルトＢｅに係止した状態で仮止めするのである。そして、この工程を、残余の６９本の前記支柱１１に順次施すのである。なお、本工程を施す順序についても、前述の順序と同様である。
【００４６】
このようにして、十段階の嵩上げ工程を繰り返して、全ての前記支柱１１について所望の高さ（１００ｃｍ）の嵩上げを行うのである。図１４（ａ）は支柱を十段階に嵩上げした状態を示す斜視図であり、（ｂ）は同要部断面図である。図１４に示すように、補強ボルトＢｄ，Ｂｅ，Ｂｆ，Ｂｇ，Ｂｈ，Ｂｉ，Ｂｍ，Ｂｎ，Ｂｏ，Ｂｐ，Ｂｑを夫々締結固定して十段階の嵩上げ工程を終えた後には、前記上部支柱におけるの前記継手部材３０の固定ボルト挿入孔３１ｈ，３２ｈと３１ｔ，３２ｔと３１ｉ，３２ｉに対応する位置に、夫々固定ボルト挿入孔（図示せず）を開設して、前記固定ボルト挿入孔３１ｈ，３２ｈと３１ｔ，３２ｔと３１ｉ，３２ｉに夫々固定ボルトＢｒ，Ｂｓ，Ｂｔを挿入し、ナット（図示せず）で締結固定するのである。
【００４７】
図１５は、全ての支柱について所望の高さの嵩上げを終了した農業用温室の内方からの斜視図である。図１５に示すように、全ての支柱について所望の高さ（１００ｃｍ）の嵩上げを終了すると、これによって、前記農業用温室１０の軒高さも１００ｃｍ上昇することとなり、工事費用を安く、かつ工事期間の短縮も図れ、また、前記の工程で使用する前記継手部材３０も、金属製のアングル材に所定間隔のボルト挿通孔（固定ボルト挿通孔および補強ボルト挿通孔）を複数開設するだけで製作でき、極めて容易かつ安価に製作できるのである。
【００４８】
なお、前述の前記支柱１１の切断工程を行う前に、予め、前記自走式テーブルリフターＴＬを前記陸梁１５，１５の端部に宛い支持し、前記取付基板１１ａのボルトを緩めて、２ｃｍ程度前記支柱１１を持ち上げておくと、前記支柱１１の切断によって前記上部支柱２２がずり落ちることなく、また、前記農業用温室１０が前記支柱１１の切断によって、歪むこともない。
【００４９】
また、前述の工程において、前記継手部材３０は、前記下部支柱２１に固定したが、前記上部支柱２２に固定するようにしても良い。
【００５０】
また、前記継手部材３０は、第一継手部材３１と第二継手部材３２とに分割して構成したが、前記第一継手部材３１と第二継手部材３２とを、例えば蝶番等の連結部材で連結してもよい（図示せず）。この場合においては、前記継手部材３０の前記支柱１１に対する外嵌固定作業が容易となる。
【００５１】
さらに、前記自走式テーブルリフターＴＬは、前記陸梁１５，１５の端部に宛い支持するように配置したが、これに拘らず、他の箇所、例えば、合掌材１２やもや材等に固定しもよく、また、固定する際には、スペーサー（図示せず）を介在させても良い。
【００５２】
また、使用する前記継手部材は、図１６に示すような他の継手部材を使用してもよい。図１６に示す継手部材４０は、チャネル材を使用して構成したものであり、第一継手部材４１は、前記支柱１１の外周の三方を抱持する大きさ形状で形成しており、第二継手部材４２は、前記支柱１１の外周の一方と前記第一継手部材４１の両側板を抱持する大きさ形状で形成している。
【００５３】
さらに、前記継手部材４０は、前記支柱１１が円柱である場合では、断面半円形状のもの（図示せず）を用意すればよく、前記支柱の形状等に応じて製作すればよい。
【図面の簡単な説明】
【００５４】
【図１】本発明にかかる既設構造体の嵩上げ方法を実施する農業用温室の要部斜視図である。
【図２】同農業用温室の要部断面図である。
【図３】同農業用温室の概略平面図である。
【図４】図４（ａ）は支柱の要部斜視図であり、（ｂ）は支柱の要部拡大斜視図であり、（ｃ）は支柱の平面図である。
【図５】支柱を嵩上げする方法の手順を示す概略図である。
【図６】支柱を嵩上げする方法の手順を示す概略図である。
【図７】支柱の切断及び継手部材の固着工程の順番を示す概略平面図である。
【図８】支柱の切断及び継手部材の固着工程の順番を示す概略平面図である。
【図９】支柱の切断及び継手部材の固着工程の順番を示す概略平面図である。
【図１０】支柱の切断及び継手部材の固着工程工程が終了した農業用温室の内方からの斜視図である。
【図１１】持上げ手段により支柱を持ち上げた状態を示す農業用温室の内方からの斜視図である。
【図１２】図１２（ａ）は支柱を一段階（すなわち、１０ｃｍ）嵩上げした状態を示すは斜視図であり、（ｂ）は同要部断面図であり、（ｃ）は（ｂ）のＡ−Ａ断面図である。
【図１３】図１３（ａ）は支柱を二段階嵩上げした状態を示す斜視図であり、（ｂ）は同要部断面図である。
【図１４】図１４（ａ）は支柱を十段階に嵩上げした状態を示す斜視図であり、（ｂ）は同要部断面図である。
【図１５】全ての支柱について所望の高さの嵩上げを終了した農業用温室の内方からの斜視図である。
【図１６】他の継手部材を示す要部断面図である。
【符号の説明】
【００５５】
１０            農業用温室
１１            支柱
１１ａ          取付基板
１１ｂ〜１１ｄ  固定ボルト挿入孔
１２    合掌材
１３    もや材
１４    棟材
１５    陸梁
２１    下部支柱
２２    上部支柱
３０    継手部材
３１    第一継手部材
３２    第二継手部材
３１ｃ、３１ｄ、３１ｅ、３１ｆ、３１ｇ、
３１ｈ、３１ｉ、３１ｎ、３１ｏ、３１ｐ、
３１ｑ、３１ｒ、３１ｓ、３１ｔ、３２ｃ、
３２ｄ、３２ｅ、３２ｆ、３２ｇ、３２ｈ、
３２ｉ、３２ｎ、３２ｏ、３２ｐ、３２ｑ、
３２ｒ、３２ｓ、３２ｔ                      補強ボルト挿通孔                
３１ａ、３１ｂ、３１ｍ、３２ａ、３２ｂ、
３２ｍ                                      固定ボルト挿通孔
４０    他の継手部材
４１    他の第一継手部材
４２    他の第二継手部材
Ｇ  基礎
Ｓ  切断面
Ｂ  ボルト
Ｂａ、Ｂｂ、Ｂｃ、Ｂｒ、Ｂｓ、Ｂｔ          固定ボルト
Ｂｄ、Ｂｅ、Ｂｆ、Ｂｇ、Ｂｈ、Ｂｉ、
Ｂｍ、Ｂｎ、Ｂｏ、Ｂｐ、Ｂｑ、Ｂｒ、
Ｂｓ、Ｂｔ                                  補強ボルト
Ｎ  ナット
【図１】
2008121344.tif 000003
【図２】
2008121344.tif 000004
【図３】
2008121344.tif 000005
【図４】
2008121344.tif 000006
【図５】
2008121344.tif 000007
【図６】
2008121344.tif 000008
【図７】
2008121344.tif 000009
【図８】
2008121344.tif 000010
【図９】
2008121344.tif 000011
【図１０】
2008121344.tif 000012
【図１１】
2008121344.tif 000013
【図１２】
2008121344.tif 000014
【図１３】
2008121344.tif 000015
【図１４】
2008121344.tif 000016
【図１５】
2008121344.tif 000017
【図１６】
2008121344.tif 000018